【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
所定の省電力モードで動作可能な情報処理装置であって、
力率改善（ＰＦＣ）回路を備えた電源変換手段であって、前記情報処理装置が少なくとも前記所定の省電力モードで動作している間、入力された交流電源を直流電源に変換し、前記直流電源を供給する電源変換手段と、
前記情報処理装置の機種を示す情報を記憶する記憶手段と、
前記ＰＦＣ回路をオフにすることが可能な電源制御手段と
を備え、
前記電源変換手段は、前記ＰＦＣ回路が前記電源制御手段によってオフにされている場合でも、前記入力された交流電源から変換された前記直流電源を供給するように構成され、
前記記憶手段に記憶された前記情報が、特定のデバイスを含む情報処理装置の機種を示し、前記情報処理装置が少なくとも前記所定の省電力モードで動作している間は、前記電源制御手段は、前記ＰＦＣ回路をオフにせず、
前記入力された交流電源から変換された前記直流電源は、前記情報処理装置が少なくとも前記所定の省電力モードで動作している間は、前記特定のデバイスへ供給されることを特徴とする情報処理装置。
【請求項２】
プロセッサと、
前記プロセッサに対するワーク領域として使用されるメモリとをさらに備え、
前記メモリは、前記所定の省電力モードにおけるセルフリフレッシュモードで動作することを特徴とする請求項１に記載の情報処理装置。
【請求項３】
前記特定のデバイスが接続可能なインターフェースをさらに備え、
前記インターフェースに接続された前記特定のデバイスは、前記所定の省電力モードで電力が供給されることを特徴とする請求項１または２に記載の情報処理装置。
【請求項４】
前記特定のデバイスは、ファクス装置であることを特徴とする請求項１乃至３のいずれか１項に記載の情報処理装置。
【請求項５】
前記記憶手段に記憶された前記情報が、前記特定のデバイスを含む情報処理装置の機種を示すかどうか判定し、前記情報処理装置が少なくとも前記所定の省電力モードで動作している間は前記ＰＦＣ回路をオフにしない設定値を設定するように構成されたプロセッサをさらに備え、
前記電源制御手段は、前記情報処理装置が少なくとも前記所定の省電力モードで動作している間は、前記設定値に基づいて前記ＰＦＣ回路をオフにしないことを特徴とする請求項１乃至４のいずれか１項に記載の情報処理装置。
【請求項６】
前記情報処理装置が前記所定の省電力モードで動作している場合に電力が供給されないプリンタをさらに備えることを特徴とする請求項１乃至５のいずれか１項に記載の情報処理装置。
【請求項７】
前記電源制御手段は、前記記憶手段に記憶された前記情報が、前記特定のデバイスを備えていない情報処理装置の機種を示す場合は、前記ＰＦＣ回路をオフにすることを特徴とする請求項１乃至６のいずれか１項に記載の情報処理装置。
【請求項８】
前記電源制御手段は、前記記憶手段に記憶された前記情報が前記特定のデバイスを含まない情報処理装置の機種を示し、前記情報処理装置が前記所定の省電力モードで動作している場合には、前記ＰＦＣ回路をオフにすることが可能であり、前記記憶手段に記憶された前記情報が前記特定のデバイスを含む情報処理装置の機種を示す場合、前記情報処理装置が前記所定の省電力モードで動作している間は前記ＰＦＣ回路をオフにしないように構成されることを特徴とする請求項１乃至７のいずれか１項に記載の情報処理装置。
【請求項９】
前記電源制御手段は、前記情報処理装置が前記所定の省電力モードで動作している間は、前記ＰＦＣ回路によって前記交流電源の力率を改善せずに、前記入力された交流電源から変換された前記直流電源が前記電源変換手段から供給されるように、前記ＰＦＣ回路をオフにすることが可能であることを特徴とする請求項１乃至８のいずれか１項に記載の情報処理装置。
【請求項１０】
前記ＰＦＣ回路は、前記ＰＦＣ回路がオンである間は、前記交流電源の力率を改善し、前記ＰＦＣ回路がオフである間は、前記交流電源の前記力率を改善しないように構成されることを特徴とする請求項１乃至９のいずれか１項に記載の情報処理装置。
【請求項１１】
所定の省電力モードで動作可能な情報処理装置であって、
少なくとも１つのデバイスと、
力率改善（ＰＦＣ）回路を備えた電源変換手段であって、入力された交流電源を直流電源に変換し、少なくとも前記所定の省電力モードにおいて、前記ＰＦＣ回路がオンであるか、またはオフであるかにかかわらず、前記入力された交流電源から変換された前記直流電源を前記少なくとも１つのデバイスに供給する電源変換手段と、
前記情報処理装置の機種を示す情報を記憶するように構成されたメモリと、
前記電源変換手段の前記ＰＦＣ回路をオフにすることが可能な電源制御手段と
を備え、
前記電源制御手段は、前記メモリに格納された前記情報によって示される前記機種が、前記少なくとも１つのデバイスが特定のデバイスを含む機種を示す場合、少なくとも前記所定の省電力モードの間は、前記ＰＦＣ回路をオフにしないことを特徴とする情報処理装置。
【請求項１２】
前記メモリに記憶された前記情報によって示される前記機種が、少なくとも１つのデバイスが前記特定のデバイスを含む機種を示すかどうかに少なくとも基づいて、前記所定の省電力モードにおいて前記電源変換手段が前記ＰＦＣ回路をオフにした状態で、前記直流電源が前記少なくとも１つのデバイスに供給されるように、前記電源制御手段に前記ＰＦＣ回路をオフにさせるように構成されたプロセッサを備えたことを特徴とする請求項１１に記載の情報処理装置。
【請求項１３】
前記プロセッサは、前記電源制御手段の前記ＰＦＣ回路をオフにするための情報を設定するように構成されていることを特徴とする請求項１２に記載の情報処理装置。
【請求項１４】
前記電源制御手段は、前記ＰＦＣ回路をオフにすることが可能であり、前記メモリに記憶された前記情報によって示される前記機種が、前記少なくとも１つのデバイスが前記特定のデバイスを含む前記機種を示さない場合に、前記ＰＦＣ回路がオフにされる前記所定の省電力モードに移行させることを特徴とする請求項１１乃至１３のいずれか１項に記載の情報処理装置。
【請求項１５】
前記少なくとも１つのデバイスが前記特定のデバイスを含む前記機種の前記所定の省電力モードにおける電力消費は、前記少なくとも１つのデバイスが前記特定のデバイスを含まない機種の電力消費よりも大きいことを特徴とする請求項１１乃至１４のいずれか１項に記載の情報処理装置。
【請求項１６】
所定の省電力モードで動作可能な情報処理装置の制御方法であって、
前記情報処理装置は、
力率改善（ＰＦＣ）回路を備えた電源変換手段であって、前記情報処理装置が少なくとも前記所定の省電力モードで動作している間、入力された交流電源を直流電源に変換し、前記直流電源を供給する電源変換手段と、
前記情報処理装置の機種を示す情報を記憶する記憶手段と、
前記ＰＦＣ回路をオフにすることが可能な電源制御手段と
を備え、
前記電源変換手段は、前記ＰＦＣ回路がオフにされている場合でも、前記入力された交流電源から変換された前記直流電源を供給し、前記情報処理装置が少なくとも前記所定の省電力モードで動作している間は特定のデバイスへ前記直流電源を供給するように構成され、
前記記憶手段に記憶された前記情報が、前記特定のデバイスを備えた情報処理装置の機種を示すかどうか判定するステップと、
前記記憶手段に記憶された前記情報が、前記特定のデバイスを備えた前記情報処理装置の機種を示す場合、前記情報処理装置が少なくとも前記所定の省電力モードで動作する間は、前記ＰＦＣ回路をオフにしないステップと
を含むことを特徴とする制御方法。
【請求項１７】
前記情報処理装置は、前記所定の省電力モードに移行可能であることを特徴とする請求項１６に記載の制御方法。
【請求項１８】
前記情報処理装置は、前記特定のデバイスに接続可能なインターフェースを備え、
前記インターフェースに接続された前記特定のデバイスには、前記所定の省電力モードで電力が供給されることを特徴とする請求項１６または１７に記載の制御方法。
【請求項１９】
前記特定のデバイスは、ファクス装置であることを特徴とする請求項１６乃至１８のいずれか１項に記載の制御方法。
【手続補正２】
【補正対象書類名】明細書
【補正対象項目名】発明の名称
【補正方法】変更
【補正の内容】
【発明の名称】情報処理装置、及び、情報処理装置の制御方法
【手続補正３】
【補正対象書類名】明細書
【補正対象項目名】０００８
【補正方法】変更
【補正の内容】
【０００８】
本発明の一実施例に係る情報処理装置は、所定の省電力モードで動作可能な情報処理装置であって、力率改善（ＰＦＣ）回路を備えた電源変換手段であって、前記情報処理装置が少なくとも前記所定の省電力モードで動作している間、入力された交流電源を直流電源に変換し、前記直流電源を供給する電源変換手段と、前記情報処理装置の機種を示す情報を記憶する記憶手段と、前記ＰＦＣ回路をオフにすることが可能な電源制御手段とを備える。前記電源変換手段は、前記ＰＦＣ回路が前記電源制御手段によってオフにされている場合でも、前記入力された交流電源から変換された前記直流電源を供給するように構成される。前記記憶手段に記憶された前記情報が、特定のデバイスを含む情報処理装置の機種を示し、前記情報処理装置が少なくとも前記所定の省電力モードで動作している間は、前記電源制御手段は、前記ＰＦＣ回路をオフにせず、前記入力された交流電源から変換された前記直流電源は、前記情報処理装置が少なくとも前記所定の省電力モードで動作している間は、前記特定のデバイスへ供給される。